(57)【要約】【課題】搭乗者による指の接触位置の変化による軌跡に対応するように、順次メニュー画像を表示するようにして、この指の接触位置によりメニュー画像の選択を受け付ける構成において、迅速に所望するメニュー画像を選択できるようにする。【解決手段】車両用表示装置は、位置検出部１１で検出される接触位置の変化による軌跡に対応するように、メニュー画像を順次表示して、前記接触位置に対応するメニュー画像にフォーカスを設定し、前記接触位置の変化に対応するように前記フォーカスの設定を順次変化させ、前記フォーカスが設定されたメニュー画像の選択を受け付ける。スキップ操作検出部１１で検出される搭乗者の指示により、前記フォーカスが設定されているメニュー画像に隣接するメニュー画像を飛び越して、前記フォーカスの設定を変化させる。【選択図】図１
2020035080.tif 000002
【特許請求の範囲】
【請求項１】
複数のメニュー画像を表示して搭乗者による前記メニュー画像の選択を受け付ける車両用表示装置において、
前記搭乗者の操作を検出する操作検出部と、
前記操作検出部により検出される前記搭乗者の操作に応じて前記メニュー画像の表示を制御する表示制御部と、を備え、
前記操作検出部は、
前記搭乗者の指の接触位置を検出する位置検出部と、
スキップ処理によるフォーカスの切替え指示を検出するスキップ操作検出部と、
前記フォーカスが設定されたメニュー画像の前記搭乗者による選択を検出する選択検出部と、を備え、
前記表示制御部は、
前記位置検出部で検出される前記接触位置の変化による軌跡に対応するように、前記メニュー画像を順次表示して、
前記接触位置に対応するメニュー画像に前記フォーカスを設定し、
前記接触位置の変化に対応するように前記フォーカスの設定を順次変化させ、
前記選択検出部により検出される選択操作により、前記フォーカスが設定されたメニュー画像の選択を受け付け、
さらに前記スキップ操作検出部で検出される前記搭乗者の指示により、前記フォーカスが設定されているメニュー画像に隣接するメニュー画像を飛び越して、前記フォーカスの設定を変化させる
車両用表示装置。
【請求項２】
前記スキップ操作検出部で検出される前記搭乗者の指示による前記フォーカスの設定の変化が、変化前に前記フォーカスが設定されているメニュー画像と、変化後に前記フォーカスが設定されているメニュー画像との成す角度が１８０度である変化である
請求項１に記載の車両用表示装置。
【請求項３】
前記スキップ操作検出部で検出される前記搭乗者の指示による前記フォーカスの設定の変化が、変化前に前記フォーカスが設定されているメニュー画像と、変化後に前記フォーカスが設定されているメニュー画像との成す角度が９０度である変化である
請求項１又は請求項２に記載の車両用表示装置。
【請求項４】
前記スキップ操作検出部が、前記位置検出部及び又は前記選択検出部と一体に設けられた
請求項１、請求項２、請求項３の何れかに記載の車両用表示装置。
【請求項５】
前記スキップ操作検出部が、前記位置検出部及び前記選択検出部と別体に設けられた
請求項１、請求項２、請求項３の何れかに記載の車両用表示装置。
【請求項６】
前記表示制御部は、
前記複数のメニュー画像をカテゴリにより区分して形成されるグループ毎に、順次、表示し、
前記スキップ操作検出部で検出される前記搭乗者の指示による前記フォーカスの設定の変化が、変化前に前記フォーカスが設定されているメニュー画像の属するグループと、変化後に前記フォーカスが設定されているメニュー画像の属するグループとが異なる変化である
請求項１、請求項４、請求項５の何れかに記載の車両用表示装置。
【請求項７】
複数のメニュー画像を表示して搭乗者による前記メニュー画像の選択を受け付ける車両用表示装置の制御方法において、
前記搭乗者の操作を検出する操作検出ステップと、
前記操作検出ステップにより検出される前記搭乗者の操作に応じて前記メニュー画像の表示を制御する表示制御ステップと、を備え、
前記操作検出ステップは、
前記搭乗者の指の接触位置を検出する位置検出ステップと、
スキップ処理によるフォーカスの切替え指示を検出するスキップ操作検出ステップと、
前記フォーカスが設定されたメニュー画像の前記搭乗者による選択を検出する選択検出ステップと、を備え、
前記表示制御ステップは、
前記位置検出ステップで検出される前記接触位置の変化による軌跡に対応するように、前記メニュー画像を順次表示して、
前記接触位置に対応するメニュー画像に前記フォーカスを設定し、
前記接触位置の変化に対応するように前記フォーカスの設定を順次変化させ、
前記選択検出ステップにより検出される選択操作により、前記フォーカスが設定されたメニュー画像の選択を受け付け、
さらに前記スキップ操作検出ステップで検出される前記搭乗者の指示により、前記フォーカスが設定されているメニュー画像に隣接するメニュー画像を飛び越して、前記フォーカスの設定を変化させる
車両用表示装置の制御方法。
【請求項８】
演算処理回路における実行により所定の処理手順を実行させる車両用表示装置の制御プログラムにおいて、
前記車両用表示装置が、複数のメニュー画像を表示して搭乗者による前記メニュー画像の選択を受け付ける車両用表示装置であり、
前記処理手順は、
前記搭乗者の操作を検出する操作検出ステップと、
前記操作検出ステップにより検出される前記搭乗者の操作に応じて前記メニュー画像の表示を制御する表示制御ステップと、を備え、
前記操作検出ステップは、
前記搭乗者の指の接触位置を検出する位置検出ステップと、
スキップ処理によるフォーカスの切替え指示を検出するスキップ操作検出ステップと、
前記フォーカスが設定されたメニュー画像の前記搭乗者による選択を検出する選択検出ステップと、を備え、
前記表示制御ステップは、
前記位置検出ステップで検出される前記接触位置の変化による軌跡に対応するように、前記メニュー画像を順次表示して、
前記接触位置に対応するメニュー画像に前記フォーカスを設定し、
前記接触位置の変化に対応するように前記フォーカスの設定を順次変化させ、
前記選択検出ステップにより検出される選択操作により、前記フォーカスが設定されたメニュー画像の選択を受け付け、
さらに前記スキップ操作検出ステップで検出される前記搭乗者の指示により、前記フォーカスが設定されているメニュー画像に隣接するメニュー画像を飛び越して、前記フォーカスの設定を変化させる
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、ヘッドアップディスプレイ装置による車両用表示装置に関して、ドライバーの前方空間に、虚像を表示することにより、ウインドシールドを介して視認されるドライバーの前方視界に、種々の画像を表示する工夫が提案されている。
【０００３】
このような車両用表示装置に関して、特許文献１には、ドライバーにより操作可能にステアリングホイールに複数の操作子を設け、この複数の操作子の配置に対応するようにメニュー画像を表示することにより、ドライバーによるメニュー画像の選択を簡略化する構成が提案されている。
またさらに特許文献２では、ステアリングホイールに手を添えたドライバーにより操作可能にステアリングホイールに操作部を設けると共に、この操作部で検出されるドライバーによる指の接触位置の変化による軌跡に対応するように、順次メニュー画像を表示するようにして、この指の接触位置によりメニュー画像の選択を受け付ける構成が開示されている。
【先行技術文献】
【特許文献】
【０００４】
【特許文献１】特開２００４−３４５５４９号公報
【特許文献２】特開２０１５−０９３５５０号公報
【発明の概要】
【発明が解決しようとする課題】
【０００５】
ところで特許文献２に開示の構成のように、指の接触位置の変化による軌跡に対応するように順次メニュー画像を表示するようにして、この指の接触位置によりメニュー画像の選択を受け付ける構成にあっては、ブラインド操作可能に多数のメニュー画像を表示し、さらにはレイアウトを種々に変更してメニュー画像を表示することができ、使い勝手を向上することができる。
しかしながら特許文献２に開示の構成においては、大きく指を移動させることが必要な場合がある。具体的にリング形状に複数のメニュー画像を配置した場合には、最大でこのリング形状の配置の半周分（リング形状に係る軌跡の１８０度分である）、指を移動させることが必要になる。
これによりメニュー画像の選択に時間を要する場合があり、迅速に所望のメニュー画像を選択可能とする観点において、実用上未だ不十分な問題がある。
【０００６】
本発明は以上の点を考慮してなされたものであり、搭乗者による指の接触位置の変化による軌跡に対応するように、順次メニュー画像を表示するようにして、この指の接触位置によりメニュー画像の選択を受け付ける構成において、迅速に所望するメニュー画像を選択することができる車両用表示装置、車両用表示装置の制御方法、車両用表示装置の制御プログラムを提案することを目的とする。
【課題を解決するための手段】
【０００７】
係る課題を解決するため、請求項１の発明に係る車両用表示装置は、
複数のメニュー画像を表示して搭乗者による前記メニュー画像の選択を受け付ける車両用表示装置において、
前記搭乗者の操作を検出する操作検出部と、
前記操作検出部により検出される前記搭乗者の操作に応じて前記メニュー画像の表示を制御する表示制御部と、を備え、
前記操作検出部は、
前記搭乗者の指の接触位置を検出する位置検出部と、
スキップ処理によるフォーカスの切替え指示を検出するスキップ操作検出部と、
前記フォーカスが設定されたメニュー画像の前記搭乗者による選択を検出する選択検出部と、を備え、
前記表示制御部は、
前記位置検出部で検出される前記接触位置の変化による軌跡に対応するように、前記メニュー画像を順次表示して、
前記接触位置に対応するメニュー画像に前記フォーカスを設定し、
前記接触位置の変化に対応するように前記フォーカスの設定を順次変化させ、
前記選択検出部により検出される選択操作により、前記フォーカスが設定されたメニュー画像の選択を受け付け、
さらに前記スキップ操作検出部で検出される前記搭乗者の指示により、前記フォーカスが設定されているメニュー画像に隣接するメニュー画像を飛び越して、前記フォーカスの設定を変化させる。
【０００８】
請求項１の構成によれば、スキップ操作検出部で検出される搭乗者の指示により、フォーカスが設定されているメニュー画像に隣接するメニュー画像を飛び越して、フォーカスの設定を変化させることにより、指の接触位置を大きく変化させることなくフォーカスを切替えてメニュー画像を選択することができる。
【０００９】
請求項２の発明に係る車両用表示装置は、
請求項１の構成において、
前記スキップ操作検出部で検出される前記搭乗者の指示による前記フォーカスの設定の変化が、変化前に前記フォーカスが設定されているメニュー画像と、変化後に前記フォーカスが設定されているメニュー画像との成す角度が１８０度である変化である。
【００１０】
請求項２の構成によれば、最も大きく指を移動させなければいけない場合にあっても、迅速にフォーカスの設定を切替えて所望のメニュー画像を選択することができる。
【００１１】
請求項３の発明に係る車両用表示装置は、
請求項１又は請求項２の構成において、
前記スキップ操作検出部で検出される前記搭乗者の指示による前記フォーカスの設定の変化が、変化前に前記フォーカスが設定されているメニュー画像と、変化後に前記フォーカスが設定されている前記メニュー画像との成す角度が９０度である変化である。
【００１２】
請求項３の構成によれば、搭乗者の知覚し易いフォーカスの変化により、フォーカスの設定を切替えて所望のメニュー画像を迅速に選択することができる。
【００１３】
請求項４の発明に係る車両用表示装置は、
請求項１、請求項２、請求項３の何れかの構成において、
前記スキップ操作検出部が、前記位置検出部及び又は前記選択検出部と一体に設けられた。
【００１４】
請求項４の構成によれば、位置検出部及び又は選択検出部と一体にスキップ操作検出部が設けられていることにより、簡易な操作により迅速に所望のメニュー画像を選択することができる。
【００１５】
請求項５の発明に係る車両用表示装置は、
請求項１、請求項２、請求項３の何れかの構成において、
前記スキップ操作検出部が、前記位置検出部及び前記選択検出部と別体に設けられた。
【００１６】
請求項５の構成によれば、位置検出部及び選択検出部と別体にスキップ操作検出部が設けられていることにより、ステップ操作検出部に係る操作を、位置検出部及び選択検出部に係る操作と区別して実行することができ、これにより簡易な操作により迅速に所望のメニュー画像を選択することができる。
【００１７】
請求項６の発明に係る車両用表示装置は、
請求項１、請求項４、請求項５の何れかの構成において、
前記表示制御部は、
前記複数のメニュー画像をカテゴリにより区分して形成されるグループ毎に、順次、表示し、
前記スキップ操作検出部で検出される前記搭乗者の指示による前記フォーカスの設定の変化が、変化前に前記フォーカスが設定されているメニュー画像の属するグループと、変化後に前記フォーカスが設定されているメニュー画像の属するグループとが異なる変化である。
【００１８】
請求項６の構成によれば、例えば空調の噴き出し口の設定に供する複数のメニュー画像と、空調の風量の設定に供する複数のメニュー画像とを纏めて表示して選択を受け付ける場合に、噴き出し口の選択と風量の選択とで、迅速にメニュー画像のフォーカスを切替えることができ、これにより一段と使い勝手を向上することができる。
【００１９】
請求項７の発明は、複数のメニュー画像を表示して搭乗者による前記メニュー画像の選択を受け付ける車両用表示装置の制御方法において、
前記搭乗者の操作を検出する操作検出ステップと、
前記操作検出ステップにより検出される前記搭乗者の操作に応じて前記メニュー画像の表示を制御する表示制御ステップと、を備え、
前記操作検出ステップは、
前記搭乗者の指の接触位置を検出する位置検出ステップと、
スキップ処理によるフォーカスの切替え指示を検出するスキップ操作検出ステップと、
前記フォーカスが設定されたメニュー画像の前記搭乗者による選択を検出する選択検出ステップと、を備え、
前記表示制御ステップは、
前記位置検出ステップで検出される前記接触位置の変化による軌跡に対応するように、前記メニュー画像を順次表示して、
前記接触位置に対応するメニュー画像に前記フォーカスを設定し、
前記接触位置の変化に対応するように前記フォーカスの設定を順次変化させ、
前記選択検出ステップにより検出される選択操作により、前記フォーカスが設定されたメニュー画像の選択を受け付け、
さらに前記スキップ操作検出ステップで検出される前記搭乗者の指示により、前記フォーカスが設定されているメニュー画像に隣接するメニュー画像を飛び越して、前記フォーカスの設定を変化させる。
【００２０】
請求項７の構成によれば、スキップ操作検出ステップで検出される搭乗者の指示により、フォーカスが設定されているメニュー画像に隣接するメニュー画像を飛び越して、フォーカスの設定を変化させることにより、指の接触位置を大きく変化させることなく、フォーカスを切替えてメニュー画像を選択することができる。
【００２１】
請求項８の発明は、演算処理回路における実行により所定の処理手順を実行させる車両用表示装置の制御プログラムにおいて、
前記車両用表示装置が、複数のメニュー画像を表示して搭乗者による前記メニュー画像の選択を受け付ける車両用表示装置であり、
前記処理手順は、
前記搭乗者の操作を検出する操作検出ステップと、
前記操作検出ステップにより検出される前記搭乗者の操作に応じて前記メニュー画像の表示を制御する表示制御ステップと、を備え、
前記操作検出ステップは、
前記搭乗者の指の接触位置を検出する位置検出ステップと、
スキップ処理によるフォーカスの切替え指示を検出するスキップ操作検出ステップと、
前記フォーカスが設定されたメニュー画像の前記搭乗者による選択を検出する選択検出ステップと、を備え、
前記表示制御ステップは、
前記位置検出ステップで検出される前記接触位置の変化による軌跡に対応するように、前記メニュー画像を順次表示して、
前記接触位置に対応するメニュー画像に前記フォーカスを設定し、
前記接触位置の変化に対応するように前記フォーカスの設定を順次変化させ、
前記選択検出ステップにより検出される選択操作により、前記フォーカスが設定されたメニュー画像の選択を受け付け、
さらに前記スキップ操作検出ステップで検出される前記搭乗者の指示により、前記フォーカスが設定されているメニュー画像に隣接するメニュー画像を飛び越して、前記フォーカスの設定を変化させる。
【００２２】
請求項８の構成によれば、スキップ操作検出ステップで検出される搭乗者の指示により、フォーカスが設定されているメニュー画像に隣接するメニュー画像を飛び越して、フォーカスの設定を変化させることにより、指の接触位置を大きく変化させることなく、フォーカスを切替えてメニュー画像を選択することができる。
【発明の効果】
【００２３】
本発明の車両用表示装置、車両用表示装置の制御方法、車両用表示装置の制御プログラムによれば、搭乗者による指の接触位置の変化による軌跡に対応するように、順次メニュー画像を表示するようにして、この指の接触位置によりメニュー画像の選択を受け付ける構成において、迅速に所望するメニュー画像を選択することができる。
【図面の簡単な説明】
【００２４】
【図１】本発明の実施形態に係る車両用表示装置を示すブロック図である。
【図２】操作部を示す図である。
【図３】図１の車両用表示装置におけるメインメニュー画面の説明に供する図である。
【図４】サブメニュー画面の説明に供する図である。
【発明を実施するための形態】
【００２５】
〔第１実施形態〕
図１は、本発明の第１実施形態に係る車両１を示す図である。
この車両１は、車両用表示装置１０により、ウインドシールドを介して前方を視認したドライバーの視界に、虚像により各種のメニュー画像を表示し、ドライバーによる操作を受け付ける。さらにこのドライバーによる操作に応じて各部の動作を制御する。
【００２６】
車両１は、ダッシュボード２内に、ヘッドアップディスプレイ装置による表示装置３を備える。
車両１は、車両用表示装置１０による制御により、表示装置３から画像表示に供する出射光を出射し、この出射光をウインドシールドでドライバーに向けて反射する。車両１は、このウインドシールドの反射光によりドライバーの前方空間に虚像を形成し、ウインドシールドを介して前方を視認したドライバーの視界に、各種のメニュー画像を表示する。またさらにドライバーによるメニュー画像の選択により、車載機器ＥＣＵ４により各部の動作を制御する。
【００２７】
ここで表示装置３は、表示に供する画像を虚像により形成する部位であり、画像表示パネル、この画像表示パネルの周辺回路、この画像表示パネルの出射光をウインドシールドに向けて出射する光学系等により形成される。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
【００２８】
なお表示装置３は、ヘッドアップディスプレイ装置による構成に限らず、例えばゴーグル形状によるヘッドマウントディスプレイ装置による構成、液晶表示パネル等の画像表示パネルによる中央ディスプレイ装置等、メニュー画像を表示可能な各種の構成を広く適用することができる。
また表示装置３は、車両用表示装置１０と一体に構成するようにしてもよい。
【００２９】
車載機器ＥＣＵ（Ｅｌｅｃｔｒｏｎｉｃ  Ｃｏｎｔｒｏｌ  Ｕｎｉｔ）４は、この表示装置３で表示するメニュー画像に係る車両１の各部を制御する構成であり、車両用表示装置１０とバスＢＵＳにより接続されて車両に搭載された車載機器を制御する。
ここでバスＢＵＳは、例えばＣＡＮ（Ｃｏｎｔｒｏｌｌｅｒ  Ａｒｅａ  Ｎｅｔｗｏｒｋ）により構成される。
車載機器ＥＣＵ４は、この実施形態では、車両ＥＣＵ５、ナビＥＣＵ６、オーディオＥＣＵ７、空調ＥＣＵ８、外部ＥＣＵ９を備える。
【００３０】
車両ＥＣＵ５は、この車両の走行を制御するコントローラであり、車両用表示装置１０とデータ通信可能に構成される。車両１は、このデータ通信により、車両用表示装置１０にこの車両１の車速、各種の警告等の車両情報を通知し、さらに車両用表示装置１０から通知されるドライバーによる走行モードの選択によりこの車両１の走行モードを切替える。なおこの走行モードは、例えばスポーツモード、エコモードの走行モードである。
【００３１】
ナビＥＣＵ６は、ナビゲーションの処理に係るコントローラであり、車両用表示装置１０とのデータ通信により、車両用表示装置１０から通知されるドライバーの操作によりナビゲーションの処理を制御し、さらにナビゲーションの処理に係る各種の画像情報（例えばルートガイド等の画像情報）を車両用表示装置１０に通知する。
【００３２】
オーディオＥＣＵ７は、この車両１に設けられたオーディオシステムを制御するコントローラであり、車両用表示装置１０とのデータ通信により、オーディオシステムの操作に必要な各種の情報（例えば放送チャンネルの情報等である）を車両用表示装置１０に通知し、さらには車両用表示装置１０からの通知によりドライバーの操作に応じてオーディオシステムを制御する。
【００３３】
空調ＥＣＵ８は、この車両１の空調を制御するコントローラであり、車両用表示装置１０とのデータ通信により、空調に係る各種の情報（例えば現在の設定の情報である）を車両用表示装置１０に通知し、さらに車両用表示装置１０からの通知によりドライバーの操作に応じて空調を制御する。
【００３４】
外部ＥＣＵ９は、無線、有線により、この車両１に搭載された各種の情報機器との間のデータ通信に供するコントローラである。車両１は、この外部ＥＣＵ９と車両用表示装置１０とのデータ通信により、この車両１に持ち込まれた各種の情報端末装置（例えばスマートフォン等である）と車両用表示装置１０との間でデータ通信し、電話による通話、電子メールの閲覧、ブラウザによるインターネットの閲覧等を実行できるように構成される。
【００３５】
〔車両用表示装置〕
車両用表示装置１０は、操作検出部１１と表示制御部１２とを備える。
操作検出部１１は、搭乗者の一人であるドライバーの操作を検出する構成であり、操作部１１Ａからの出力信号を処理部１１Ｂにより処理することにより、ドライバーの各種の操作を検出する。
ここで操作部１１Ａは、ドライバーによる操作を検出する部位であり、ステアリングホイールＨに手を添えた状態で操作可能に、ステアリングホイールＨに設けられる。
処理部１１Ｂは、この操作部１１Ａの出力信号を演算処理により処理する信号処理回路である。
これにより車両用表示装置１０では、この操作検出部１１により、ドライバーの指の接触位置を検出する位置検出部、スキップ処理によるフォーカスの切替え指示を検出するスキップ操作検出部、フォーカスが設定されたメニュー画像のドライバーによる選択を検出する選択検出部が構成される。
ここでスキップ処理によるフォーカスの切替えは、フォーカスが設定されているメニュー画像に隣接するメニュー画像を飛び越して、フォーカスの設定されているメニュー画像を変化させるフォーカスの切替えである。
【００３６】
表示制御部１２は、操作検出部１１の検出結果に基いて表示装置３の表示を制御する。
【００３７】
車両用表示装置１０は、車両用表示装置の制御プログラムを演算処理回路で実行することにより、これらの機能ブロックが構成される。
これによりこの制御プログラムの実行による処理手順は、操作検出部１１、表示制御部１２にそれぞれ対応して、対応する処理を実行する操作検出ステップ、表示制御ステップを備える。
なお車両用表示装置１０は、この実施形態では車両１に据え付けて使用されるものの、ドライバーが携帯する情報携帯端末により構成するようにしてもよい。
【００３８】
〔操作部〕
図２は、操作部１１Ａを示す平面図である。
操作部１１Ａは、平板形状により形成され、タッチパネルセンサフィルム２１が配置され、これによりこのタッチパネルセンサフィルム２１の出力信号を処理部１１Ｂで処理してドライバーの指の接触位置を検出する位置検出部が構成される。
また操作部１１Ａは、指のスライド操作をガイドするガイド部２２を備える。
ここでガイド部２２は、円形形状による領域の外周に沿って延長する凸部により形成され、これによりこの実施形態では、矢印Ｃにより部分的に示すように、指の接触位置の変化による軌跡が、このガイド部２２の形状に対応する円形形状となるように、ドライバーの指の移動をガイドする。
しかしながらガイド部２２は、ブラインド操作により指を添わせて移動させた際に、この移動の軌跡が円形形状となるように形成すればよく、これにより円形形状による領域の外周に沿って延長する凹部により形成してもよい。また円形形状の領域の全体を突出させてガイド部を構成してもよく、円形形状の領域の全体を凹部としてガイド部を構成してもよい。
またガイド部２２は、後述するメニュー画像のレイアウトに対応するように、例えば矩形形状としてもよく、各種の多角形形状としてもよい。
【００３９】
さらに操作部１１Ａは、このようにガイド部２２によりガイドされて移動する指による押圧操作を検出する操作子２３がタッチパネルセンサフィルム２１の下層に一定の角間隔で複数配置される。
これにより車両用表示装置１０では、フォーカスが設定されたメニュー画像のドライバーによる選択を検出する選択検出部が構成される。
【００４０】
さらに操作部１１Ａは、ガイド部２２の中心の円形形状による領域が、スキップ操作検出領域２４に設定され、タッチパネルセンサフィルム２１を介してこのスキップ操作検出領域２４への指の接触を検出することによりスキップ操作検出部が構成される。
なおスキップ操作検出部は、押圧操作可能な操作子により構成してもよく、さらには音声入力等、種々の入力手段により構成してもよい。
【００４１】
またこの実施形態においては、これによりスキップ操作検出部は、位置検出部及び選択検出部と一体に設けられているものの、位置検出部及び選択検出部の何れかと一体に設けるようにしてもよく、さらには位置検出部及び選択検出部と別体に設けるようにしてもよい。
この実施形態のように、位置検出部及び選択検出部と一体にスキップ操作検出部を設けることにより、メニュー画像に係る操作を一箇所でまとめて実行することができ、これにより簡易な操作により迅速に所望のメニュー画像を選択することができる。
また位置検出部及び選択検出部の何れかと一体に設けることにより、機能を分離して操作部を構成して使い勝手を向上することができる。
またさらに位置検出部及び選択検出部と別体にスキップ操作検出部を設けることにより、位置検出部及び選択検出部に係る操作と区別してスキップ操作検出部を操作することができ、これにより簡易な操作により迅速に所望のメニュー画像を選択することができる。
【００４２】
なお操作部１１Ａは、左側下端部に、メニュー画面を元の表示に戻す操作に係る押圧操作部２５がさらに設けられる。
【００４３】
〔メニュー画面〕
表示制御部１２は、この車両１が起動すると、図示しないメモリの記録に基づいて、メインメニュー画面を表示し、このメインメニュー画面で複数のメニュー画像を表示する。またこのメインメニュー画面に設けられたメニュー画像の選択操作に応動して、対応する下位階層のサブメニュー画面を表示して対応するメニュー画像を表示する。またこのサブメニュー画面に表示したメニュー画像の選択により車載機器ＥＣＵ４にドライバーによる選択を通知する。これによりこの車両用表示装置１０は、階層構造によりメニュー画面を表示してドライバーの操作を受け付け、各部の動作を制御する。
【００４４】
この一連の処理において、表示制御部１２は、操作検出部１１の位置検出部で検出される接触位置の変化による軌跡に対応するように、メニュー画像を順次表示してメインメニュー画面、サブメニュー画面を形成する。またさらに位置検出部で検出される接触位置に対応するメニュー画像にフォーカスを設定し、接触位置の変化に対応するようにフォーカスの設定を順次変化させる。またさらに選択検出部により検出される選択操作により、フォーカスが設定されたメニュー画像の選択を受け付ける。
これにより車両用表示装置１０では、ブラインド操作により操作部１１Ａを操作して所望のメニュー画像を選択して、簡易に所望する操作を実行できるように形成される。
【００４５】
またさらにこのようにしてメニュー画像を表示するようにして、この複数のメニュー画像をカテゴリにより区分して形成されるグループ毎に、メニュー画像を順次表示する。
これにより車両用表示装置１０では、メニュー画像の選択操作を簡略化できるように形成される。
【００４６】
図３は、このメインメニュー画面Ｍを示す平面図である。
このメインメニュー画面Ｍの表示において、表示制御部１２は、表示装置３による表示可能領域の一部に、円形形状によりメニュー表示領域３０を形成し、このメニュー表示領域３０でメニュー画像を表示する。
【００４７】
ここで操作部１１Ａでは、ガイド部２２によるガイドにより位置検出部で検出される接触位置の変化による軌跡が円形形状により形成される。これにより表示制御部１２は、円形形状により順次メニュー画像を表示する。
【００４８】
すなわちメインメニュー画面Ｍは、円形形状のメニュー表示領域３０の外形を示す仮想線（メニュー表示領域以外の領域との境界線である）Ｌに沿って、メインメニュー画面Ｍにて選択可能なメニューに対応する複数のメニュー画像３１Ａ〜３１Ｆを順次配置して形成される。
この実施形態において、このメニュー画像３１Ａ〜３１Ｆは、メニュー表示領域３０を内外周の領域に分割して形成された外周側領域を放射状に分割した小領域３０Ａ〜３０Ｆにそれぞれ表示され、これにより扇形状による領域にそれぞれ表示される。
【００４９】
このメインメニュー画面Ｍは、扇形状による第１の小領域３０Ａに、オーディオシステムの操作を選択するメニュー画像３１Ａが表示される。ここでこのメニュー画像３１Ａは、イヤホンのイラストによるアイコンと、現在再生中のコンテンツの再生時間（「Ｔｉｍｅ  ３：１０」の表示である）を配置して形成されている。
また続く第２の小領域３０Ｂに、空調の操作を選択するメニュー画像３１Ｂが、アイコンにより表示されている。
また続く第３の小領域３０Ｃには、電話の操作を選択するメニュー画像３１Ｃが、アイコンにより表示されている。
また続く第４の小領域３０Ｄには、電子メールに関する操作を選択するメニュー画像３１Ｄが、アイコンにより表示されている。
また続く第５の小領域３０Ｅ及び第６の小領域３０Ｆには、車両１の走行モードをエコモード及びスポーツモードに設定するメニュー画像３１Ｅ及び３１Ｆがそれぞれ割り当てられて、文字表示により表示されている。
【００５０】
またメニュー表示領域３０の中央には、スキップ操作検出領域２４に対応する円形形状による表示３２が設けられ、この表示３２によりスキップ操作検出領域２４を認識できるように構成される。
また円形形状の表示３２の外方に延長するようにして、指針の形状によるカーソルＫが設けられ、このカーソルＫにより位置検出部で検出される接触位置に対応する部位が指し示されるように設定される。またこのカーソルＫにより、フォーカスが設定されているメニュー画像３１Ｂを確認することができるように形成される。これにより図２において矢印Ｃにより示すようにドライバーが指の接触位置を変化させた場合、この接触位置の変化に連動するように、円形形状の表示３２の中心を回動中心にしてカーソルＫが時計方向に回動し、カーソルＫにより指し示す部位が変化するように形成される。
【００５１】
なおフォーカスが設定されているメニュー画像３１Ｂにあっては、このようなカーソルＫに代えて、又はカーソルＫに加えて、フォーカスが設定されていない他のメニュー画像３１Ａ、３１Ｃ〜３１Ｆと識別可能にフォーカスが設定されているメニュー画像３１Ｂを表示することにより識別可能としてもよい。具体的には、例えば他のメニュー画像３１Ａ、３１Ｃ〜３１Ｆと輝度、色彩を異ならせるようにして、フォーカスが設定されているメニュー画像３１Ｂを識別可能としてもよい。
【００５２】
表示制御部１２は、このメインメニュー画面Ｍにおいて、ドライバーがエコモード及びスポーツモードに係るメニュー画像３１Ｅ、３１Ｆを選択すると、この走行モードの選択を車両ＥＣＵ５に通知する。これによりこの車両１では、ドライバーの所望する走行モードにより走行することができる。
【００５３】
これに対して電子メール、電話、空調、オーディオシステムに係るメニュー画像３１Ｄ、３１Ｃ、３１Ｂ、３１Ａが選択されると、メインメニュー画面Ｍの表示をサブメニュー画面の表示に切替える。
【００５４】
図４は、メインメニュー画面Ｍにおいて、空調のメニュー画像３１Ｂが選択された場合に表示されるサブメニュー画面Ｓ１を示す平面図である。
サブメニュー画面Ｓ１は、メインメニュー画面Ｍと同様に、円形形状に形成されたメニュー表示領域３０の外形を示す仮想線Ｌに沿って、対応する複数のメニュー画像３４Ａ〜３４Ｋを順次配置して形成され、これにより操作検出部１１の位置検出部で検出される接触位置の変化による軌跡に対応するように、メニュー画像３４Ａ〜３４Ｋを順次表示して形成される。
【００５５】
またこれらメニュー画像３４Ａ〜３４Ｋは、メニュー表示領域３０を内外周の領域に分割して形成された外周側領域を放射状に分割した扇形状による小領域にそれぞれ表示される。またメインメニュー画面Ｍと同様に、中央に、スキップ操作検出領域２４に対応する円形形状による表示３５Ａが設けられ、さらにカーソルＫが設けられる。
これによりメインメニュー画面Ｍと同様の操作性を確保して使い勝手を向上することができる。
【００５６】
ここでこの空調に係るサブメニュー画面Ｓ１は、この扇形状による第１の小領域に、上位階層のメニュー画面（この場合、メインメニュー画面Ｍである）に表示を戻すメニュー画像３４Ａが割り当てられて表示される。なおこのメニュー画像３４Ａは、折り返しの矢印によるイラストにより形成される。
また続く第２の小領域に、空調の温度を調整するメニュー画像３４Ｂが、現在の設定温度（「２８℃」）によりが表示される。
また続く第３〜第７の小領域には、空調の噴き出し口の設定に係るメニュー画像３４Ｃ〜３４Ｇが割り当てられて、アイコン及び文字によりメニュー画像３４Ｃ〜３４Ｇが表示されている。
また続く第８〜第１１の小領域には、空調に係る風量設定のメニュー画像３４Ｈ〜３４Ｋが割り当てられて、文字によりメニュー画像３４Ｈ〜３４Ｋが表示されている。
【００５７】
なおスキップ操作検出領域２４に対応する円形形状による表示３５Ａには、空調のサブメニュー画面であることを示す表示（ＡＩＲ  ＣＯＮＴＲＯＬ）が設けられ、風量設定のメニュー画像３４Ｈ〜３４Ｋの内側には風量の設定を想起させるファンのイラストが表示される。
【００５８】
ここでこの空調に係るサブメニュー画面Ｓ１では、噴き出し口の設定に係るメニュー画像３４Ｃ〜３４Ｇと、風量設定のメニュー画像３４Ｈ〜３４Ｋとが、それぞれカテゴリにより区分して噴き出し口の設定に係るメニュー画像３４Ｃ〜３４Ｇのグループと、風量設定のメニュー画像３４Ｈ〜３４Ｋのグループとが形成され、グループ毎にメニュー画像３４Ｃ〜３４Ｇ、メニュー画像３４Ｈ〜３４Ｋが順次表示される。
【００５９】
表示制御部１２は、このサブメニュー画面Ｓ１において、上位階層のメニュー画面に表示を戻すメニュー画像３４Ａが選択されると、又は操作部１１Ａにおいて、戻るの押圧操作部２５が押圧操作されると、このサブメニュー画面Ｓ１の表示をメインメニュー画面Ｍの表示に切替える。
これに対して噴き出し口を設定するメニュー画像３４Ｃ〜３４Ｇ、風量を設定するメニュー画像３４Ｈ〜３４Ｋが選択されると、この選択を空調ＥＣＵ８に通知する。
これに対して空調の温度を調整するメニュー画像３４Ｂが選択されると、さらに下位階層のメニュー画面である温度設定を受け付けるサブメニュー画面（図示せず）に表示を切替える。
【００６０】
〔スキップ処理〕
ところでこのようにしてメインメニュー画面Ｍ、サブメニュー画面Ｓ１によりメニュー画像を順次表示して、指の接触位置の移動によりフォーカスを切替えてメニュー画像を選択する場合、指を大きく移動させることが必要になる場合があり、その結果、迅速に所望するメニュー画像を選択できない場合が発生する。
具体的に、図４の例において、メニュー画像３４Ｈを選択する場合、現在、メニュー画像３４Ｂにフォーカスが設定されていることにより、メニュー表示領域３０の半周分、指を移動させることが必要になる。
【００６１】
そこで表示制御部１２は、スキップ操作検出部において、スキップ操作検出領域２４への指の接触が検出されると、スキップ処理により、フォーカスが設定されているメニュー画像３４Ｂに隣接するメニュー画像３４Ａ、３４Ｃを飛び越して、フォーカスの設定を変化させる。
これにより車両用表示装置１０では、指の接触位置を大きく変化させることなく、フォーカスを切替えてメニュー画像を選択することができ、迅速に所望するメニュー画像を選択することができる。
すなわちこの場合、フォーカスが設定されたメニュー画像を大きく変化させて所望のメニュー画像を選択することにより、さらにはその後、必要に応じて指の接触位置を細かく変化させて所望のメニュー画像を選択することにより、迅速に所望するメニュー画像を選択することができる。
【００６２】
ここでこの実施形態では、このフォーカスの設定の変化が、変化前にフォーカスが設定されているメニュー画像３４Ｂと、変化後にフォーカスが設定されているメニュー画像３４Ｈとの成す角度が１８０度である変化であるように設定される。
これにより最も大きく指を移動させなければいけない場合にあっても、迅速にフォーカスの設定を切替えて所望のメニュー画像を選択することができる。
【００６３】
なおこれによりこのフォーカスの設定の変化が、変化前にフォーカスが設定されているメニュー画像と、変化後にフォーカスが設定されているメニュー画像との成す角度が９０度である変化であるように設定してもよい。
このようにすれば、必要に応じてスキップ操作検出領域２４への指の接触を繰り返して、ドライバーの知覚し易い時計回り、又は反時計回りによるフォーカスの変化により、フォーカスの設定を切替えて所望のメニュー画像を迅速に選択することができる。
なおこの角度は、６０度、１２０度等、種々の角度に設定することができ、ドライバーにより設定された設定値を適用するようにしても良い。
【００６４】
またこれに代えて、変化前にフォーカスが設定されているメニュー画像の属するグループと、変化後にフォーカスが設定されているメニュー画像の属するグループとが異なるように、フォーカスの設定を変化させるようにしてもよい。
このようにすれば、図４の例では、噴き出し口を選択するメニュー画像３４Ｃ〜３４Ｇの何れかにフォーカスが設定されている場合に、風量を設定するメニュー画像３４Ｈ〜３４Ｋの何れかにフォーカスを切り替えることができ、これにより複数カテゴリーのメニュー画像より所望するメニュー画像を選択する場合に、迅速に所望するメニュー画像を選択することができる。
【００６５】
なおこのようにスキップ処理によりフォーカスを切替えた後のメニュー画像が所望するメニュー画像でない場合、指の接触位置を変化させて細かくフォーカスしているメニュー画像を変化させて、所望するメニュー画像を選択することになる。
これによりこのメニュー画像の選択履歴を記録して保持するようにして、最も選択頻度の高いメニュー画像にフォーカスを切替えるようにしてもよい。このようにすれば指の接触位置を変化させて細かくフォーカスしているメニュー画像を変化させる操作を低減することができ、メニュー画像選択の作業を簡略化することができる。
またメニュー画面毎に、さらにはメニュー画像毎に、このスキップ処理によるフォーカスの変化を設定するようにしてもよい。
【００６６】
以上の構成によれば、指の接触位置の変化による軌跡に対応するようにメニュー画像を順次表示し、接触位置の変化に対応するようにフォーカスの設定を順次変化させてメニュー画像の選択を受け付けるようにして、スキップ操作検出部で検出されるドライバーの指示により、隣接するメニュー画像を飛び越して、フォーカスの設定を変化させることにより、指の接触位置を大きく変化させることなく、フォーカスを切替えてメニュー画像を選択することができる。これにより迅速に所望するメニュー画像を選択することができる。
【００６７】
またこのとき、変化前にフォーカスが設定されているメニュー画像と、変化後にフォーカスが設定されているメニュー画像との成す角度が１８０度であることにより、最も大きく指を移動させなければいけない場合にあっても、迅速にフォーカスの設定を切替えて所望のメニュー画像を選択することができる。
【００６８】
またさらにこれに代えて、この角度が９０度であることにより、ドライバーの知覚し易いフォーカスの変化により、フォーカスの設定を切替えて所望のメニュー画像を迅速に選択することができる。
【００６９】
またさらにスキップ操作検出部が、位置検出部及び又は選択検出部と一体に設けられていることにより、簡易な操作により迅速に所望のメニュー画像を選択することができる。
【００７０】
またこれに代えて、位置検出部及び選択検出部と別体にスキップ操作検出部を設けることにより、ステップ操作検出部に係る操作を、位置検出部及び選択検出部に係る操作と区別して実行することができ、これにより簡易な操作により迅速に所望のメニュー画像を選択することができる。
【００７１】
またさらに複数のメニュー画像をカテゴリにより区分して形成されるグループ毎に、順次、表示するようにして、フォーカスの設定の変化前のメニュー画像の属するグループとは異なるグループに属するメニュー画像へフォーカスの設定を変化させることにより、例えば噴き出し口の選択と風量の選択とで、迅速にメニュー画像のフォーカスを切替えることができ、これにより一段と使い勝手を向上することができる。
【００７２】
〔他の実施形態〕
以上、本発明の実施に好適な具体的な構成を詳述したが、本発明は、本発明の趣旨を逸脱しない範囲で、上述の実施形態の構成を種々に変更することができる。
【００７３】
すなわち上述の実施形態では、円形形状により順次メニュー画像を表示する場合について述べたが、本発明はこれに限らず、例えば半円弧形状により順次メニュー画像を表示する場合、矩形形状等の多角形形状により順次メニュー画像を表示する場合等にも広く適用することができる。
【００７４】
また上述の実施形態では、ステアリングホイールに操作部を設け、搭乗者の一人であるドライバーによりメニュー画像の選択を受け付ける場合について述べたが、本発明はこれに限らず、これに加えて、又はこれに代えて、アームレスト、センターコンソール等に操作部を設け、ドライバー以外の他の搭乗者の操作を受け付けるようにしてもよい。
【００７５】
また上述の実施形態では、車両ＥＣＵ、ナビＥＣＵ、オーディオＥＣＵ、空調ＥＣＵ、外部ＥＣＵに係るメニュー画像を表示する場合について述べたが、本発明はこれに限らず、これら以外のメニュー画像を表示する場合にも広く適用することができる。
【符号の説明】
【００７６】
１  車両
２  ダッシュボード
３  表示装置
４  車載機器ＥＣＵ
５  車両ＥＣＵ
６  ナビＥＣＵ
７  オーディオＥＣＵ
８  空調ＥＣＵ
９  外部ＥＣＵ
１０  車両用表示装置
１１  操作検出部
１１Ａ  操作部
１１Ｂ  処理部
１２  表示制御部
２１  タッチパネルセンサフィルム
２２  ガイド部
２３  操作子
２４  スキップ操作検出領域
２５  押圧操作部
【図１】
2020035080.tif 000003
【図２】
2020035080.tif 000004
【図３】
2020035080.tif 000005
【図４】
2020035080.tif 000006